(57)【要約】【課題】片手の操作で内容液を注出できるポンプ付き容器を提供する。【解決手段】容器のネジキャップに取り付ける取付片と、取付片から上方に延びる支持柱と、支持柱に回動自在に取り付けられた操作腕と、操作腕からポンプの頭部に向いた押下棒と、本部の吐出口に連結し操作腕の回動端に開口した連結管とから構成した操作機構を組み付けてポンプ付き容器を構成した。  これにより手の平を上にして操作腕を指先でつかみ引き下げると、押下棒がポンプの頭部を押下げ、内容液が連結管の開口から吐出して手の平の上に注出される。したがって押下げタイプのポンプ容器を片手で操作し、操作した手の平の上に内容液を注出できる。【選択図】図１
2005313124.tif 000002
【特許請求の範囲】
【請求項１】
容器本体の上部口部にポンプを備え、ポンプの頭部を押下して内容液を側方に設けられた吐出口より吐出させるポンプ付き容器において、
ポンプの取付けキャップに組み付く組付片と、組付片から上方に延びる支持柱と、支持柱の上部に回動自在に取り付けられ、前記ポンプの頭部の上方を越えて延びる操作腕と、操作腕から頭部上面に向けられた押下棒と、吐出口に嵌合して操作腕の先端部に開口する連結管とからなり、操作腕の先端部を引き下げると押下棒が頭部を押し下げ前記連結管の開口より内容液が注出される操作機構を備えたポンプ付き容器。
【発明の詳細な説明】
【技術分野】
【０００１】
本発明は、片手の操作で内容液の注出を可能としたポンプ付き容器に関するものである。
【背景技術】
【０００２】
シャンプー容器などでは、上部口部に押下げタイプのポンプを有し、頭部を押下げると吐出口から内容液を吐出させるものが知られている。
【０００３】
ところがかかるポンプ付き容器は、ポンプの頭部を片方の手の平で押下げ、もう片方の手を内容液を受け止めるため吐出口の下部に置く必要があり、片手での操作では内容液を注出しにくかった。
【０００４】
そこで頭部を押下して内容液を吐出するポンプ付き容器を片手で操作するための器具が出願されている。
【０００５】
【特許文献１】特開２０００−１８５７５５号公報
【発明の開示】
【発明が解決しようとする課題】
【０００６】
しかしながら、上記特開２０００−１８５７５５号公報に記載の発明は、２つの指掛り部を上下に備え、それらを片手の指で挟むようにしてポンプを操作するため、親指を上側の指掛り部に掛け他方の指掛り部を人差し指に掛けることとなり、手の平は横方向に向いて、内容液を手の平の上に受けることができないという問題があった。また、親指と人差し指の間でポンプを操作するので、力の弱い人には使いにくい点があった。
【課題を解決するための手段】
【０００７】
本発明は、上記課題を解決するため、次のようにポンプ付き容器を構成した。
【０００８】
すなわち、ポンプ付き容器のネジキャップに取り付ける取付片と、取付片から上方に延びる支持柱と、支持柱に回動自在に取り付けられた操作腕と、操作腕からポンプの頭部に向いた押下棒と、本部の吐出口に連結し操作腕の先端部に開口した連結管とから操作機構を構成し、ポンプ付き容器に組付けることとした。
【発明の効果】
【０００９】
本発明のポンプ付き容器は、手の平を上にして操作腕の先端部を指先でつかみ引き下げると、押下棒がポンプの頭部を押下げ、内容液が連結管の開口から吐出して手の平の上に注出される。したがって押下げタイプのポンプ容器を片手で操作し、操作した手の平の上に内容液を注出できる。
【発明を実施するための最良の形態】
【００１０】
図１にポンプ付き容器の例を示す。
【００１１】
ポンプ付き容器２（以下、容器２とする。）は、容器本体４の口部６にポンプ８がねじ止めしてあり、ポンプ８のキャップ１４に操作機構１が取り付けてある。
【００１２】
容器本体４は、樹脂製で、内部にシャンプーなどの内容液が収納してある。容器本体４の上部には外周にネジ部を有する口部６が形成してあり、キャップ１４がねじ止めしてある。
【００１３】
ポンプ８は、口部６に着脱自在に組み付けられるキャップ１４を備え、口部６にねじ止めした状態でキャップ１４に対して頭部１０を押し下げると容器本体４内から内容液を、頭部１０の側方に開口された吐出口１２から吐出させる。
【００１４】
操作機構１は、キャップ１４に組み付く取付片３を下部に有し、取付片３から支持柱５が上方に延び、支持柱５の上端に操作腕７を回動自在に取り付けた構成となっている。
【００１５】
取付片３は円筒の一部を切り欠いた形状で、キャップ１４の外周に適度な保持力で着脱自在に組み付き、側壁面に支持柱５が一体に形成してある。支持柱５は、頭部１０の動作に干渉しないように取付片３から斜め後方に屈曲して延び、その上端の取付点には、操作腕７の端部が回動自在に連結してある。
【００１６】
操作腕７は、支持柱５との取付点から断面がコの字状の基部１９が延び、基部１９の端部に環状部分１１が形成してある。また基部１９の端部には頭部１０の頂面に当接する押下棒９が下向きに形成してある。環状部分１１は、頭部１０を越えて容器２の前面に延び、前端が手の平を上に向けて環状部分１１の内側に下側から差し入れた指先でつかめるように形成してある。更に環状部分１１の前端中央には、下に向けて開口した注出口１５が形成してある。
【００１７】
吐出口１２には、可撓性を有する連結管１３の一端が取り付けてあり、連結管１３の他端が注出口１５に連続して開口されている接続口１７に取り付けてある。
【００１８】
次に、容器２の操作方法を説明する。
【００１９】
風呂場の床や洗面台の上に容器２が置かれており、手の平を上に向けて指先で環状部分１１の前端内側を下側からつかみ、引き下ろす。すると操作腕７が支持柱５との連結点を中心に回動して下がり、押下棒９がポンプ８の頭部１０を押下げる。
【００２０】
頭部１０を押し下げて吐出口１２から内容液が吐出されると、内容液は連結管１３を通って操作腕７の前端に開口した注出口１５から注出される。注出口１５の下には環状部分１１の前端をつかんでいる手の平が上に向けて位置しているため、手の平の中に注出口１５から内容液が注出される。
【００２１】
環状部分１１から指先を離したり、つかんだまま手を上方に移動させると、ポンプ８は内容液の注出を止め、内部のスプリング（図示せず。）により上方に復元する。
【００２２】
このように容器２は、環状部分１１を引き下ろした手の平の中にシャンプーなどの内容液が直接注出されるので、片手しかあいていない場合であっても操作腕７を操作して容器２から内容液を注出できる。
【００２３】
尚操作機構１は、取付片３をキャップ１４から取り外し、同様な形状を有するキャップの他のポンプ付き容器に組み付けて使用することができる。また、操作機構１を取り外した容器は、従来と同様の両手で注出操作をするポンプ付き容器として使用できる。
【図面の簡単な説明】
【００２４】
【図１】本発明のポンプ付き容器を示す部分断面側面図である。
【図２】本発明のポンプ付き容器を示す立面図である。
【図３】本発明のポンプ付き容器の使用状態を示す図である。
【符号の説明】
【００２５】
１    操作機構
２    容器
３    取付片
４    容器本体
５    支持柱
６    口部
７    操作腕
８    ポンプ
９    押下棒
１０  頭部
１１  環状部分
１２  吐出口
１３  連結管
１４  キャップ
１５  注出口
１７  接続口
１９  基部
【図１】
2005313124.tif 000003
【図２】
2005313124.tif 000004
【図３】
2005313124.tif 000005